(57)【要約】    【課題】  原稿画像データの全内容を一度に読み出せる形式で出力することを可能とし、ステイプルを原稿から取り外すことなく、原稿画像データの複写を可能にした画像記録装置を提供する。    【解決手段】  リーダ部２００により入力した原稿画像データを記録紙に記録するプリンタ部３００により原稿の画像データが記録された複数枚の記録紙をICチップ付きステイプルを用いて綴じ、前記記録紙を綴じているステイプル上のICチップに原稿画像データを保存し、ICチップに保存した原稿画像データを読み出し、その読み出した原稿画像データをプリンタ部３００により記録紙に記録可能とした。【選択図】      図１
2006192619.tif 000002
【特許請求の範囲】
【請求項１】
画像情報を入力する情報入力手段と、
前記情報入力手段が入力した前記画像情報に基づいて記録紙に画像を記録する画像記録手段と、
前記画像記録手段により前記画像が記録された複数枚の記録紙に綴じ処理をするステイプル手段であって、前記画像にかかる情報を記憶する記憶媒体が付加されたステイプル部材を用いて綴じ処理をするステイプル手段と、
前記記憶媒体に前記画像にかかる情報を書き込む情報書込手段と、
前記記憶媒体に保存される前記画像にかかる情報を読み出す情報読出手段と、
前記ステイプル手段により綴じ処理がされた複数枚の記録紙を綴じるステイプル部材に付加された前記記憶媒体から前記情報読出手段が読み出した前記画像にかかる情報に基づいて、前記画像を他の複数枚の記録用紙に記録するよう前記画像記録手段を制御する制御手段と、
を有することを特徴とする画像記録装置。
【請求項２】
前記画像にかかる情報は、前記画像情報であることを特徴とする請求項１に記載の画像記録装置。
【請求項３】
前記画像にかかる情報は、前記画像記録装置が前記画像情報にアクセスするための情報であることを特徴とする請求項１に記載の画像記録装置。
【請求項４】
前記情報入力手段は、原稿を読み取ることで前記画像情報を入力することを特徴とする請求項１に記載の画像記録装置。
【請求項５】
前記情報入力手段は、外部装置から受信した情報に基づいて前記画像情報を入力することを特徴とする請求項１に記載の画像記録装置。
【請求項６】
前記情報書込手段は、前記外部装置から受信した情報に基づいて、前記画像にかかる情報を入力することを特徴とする請求項５に記載の画像記録装置。
【請求項７】
画像情報を入力する情報入力工程と、
前記情報入力工程にて入力した前記画像情報に基づいて記録紙に画像を記録する画像記録工程と、
前記画像記録工程により前記画像が記録された複数枚の記録紙に綴じ処理をするステイプル工程であって、前記画像にかかる情報を記憶する記憶媒体が付加されたステイプル部材を用いて綴じ処理をするステイプル工程と、
前記記憶媒体に前記画像にかかる情報を書き込む情報書込工程と、
前記記憶媒体に保存される前記画像にかかる情報を読み出す情報読出工程と、
前記ステイプル工程にて綴じ処理がされた複数枚の記録紙を綴じるステイプル部材に付加された前記記憶媒体から前記情報読出工程にて読み出した前記画像にかかる情報に基づいて、前記画像を他の複数枚の記録用紙に記録するよう前記画像記録工程を制御する制御工程と、
を有することを特徴とする画像記録方法。
【発明の詳細な説明】
【技術分野】
【０００１】
本発明は、画像記録装置及び画像記録方法に関する。
【背景技術】
【０００２】
一般に普及している画像記録装置は、画像読取装置、画像印刷装置、ネットワーク装置、蓄積装置等の原稿を入出力する複数の装置とその制御方法を備えている。このような画像記録装置において、一度印刷して消去した原稿の画像データを再度印刷するには、画像読取装置等を用いて再度原稿の画像データを入力する必要がある。
【０００３】
ここで画像情報を出力用紙（記録紙）に一度で読み出せる形式で保存しておけば、ユーザは、該原稿を再度画像読取装置等にて読み取る必要が無くなる。
【０００４】
画像データを出力画像に保存する手段を持つ従来技術としては、以下のものがある。
【０００５】
（１）紙文書として出力されても元文書の検索を容易にするようにした電子文検索装置及び電子検索方法（例えば、特許文献１参照）。
【０００６】
（２）印刷時に原稿用紙に数センチ四方の縮小画像を埋め込み、この原稿用紙を読取装置にかけることで、音声出力を可能にした記録媒体（例えば、特許文献２，３，４，５参照）。
【０００７】
（３）縮小原稿及びコード化した文書を先頭ページに印刷することにより、容易に文書を復元することを可能とした印刷装置（例えば、特許文献６参照）。
【０００８】
（４）ICチップ入り電子ペーパへの原稿保存に関するもので、原稿１枚の情報を、用紙にICチップを漉き込む又は貼り付けることで、用紙１枚の内容、補足情報、その他の情報を保存するICチップ入りペーパを用いた情報伝達方法（例えば、特許文献７参照）。
【特許文献１】特開２００１−２５６２５６号公報
【特許文献２】特開２００２−２９７１７０号公報
【特許文献３】特開２００２−２９７１７３号公報
【特許文献４】特開２００２−２９８０７７号公報
【特許文献５】特開２００３−０７６９６２号公報
【特許文献６】特開２００２−１７００７５号公報
【特許文献７】特開２０００−２８５２０３号公報
【発明の開示】
【発明が解決しようとする課題】
【０００９】
しかし、上述した特許文献１の発明は、例えば綴じ処理された複数枚の記録紙を再印刷させるには、綴じ処理に用いられるステイプル部材を取り外し、複数枚の記録紙の各々について特徴量の抽出処理等をしなければならないという問題があった。
【００１０】
また、上述した特許文献２，３，４，５の発明は、用紙の隅に特殊な矩形画像を印刷する必要があり、縁無し全面印刷等を行う場合には用いることができないという問題があった。
【００１１】
また、上述した特許文献６の発明は、ユーザが把握できないコード化された大きな画像データを用紙に印刷しなければならないという問題があった。
【００１２】
また、上述した特許文献７の発明は、用紙にICチップを漉き込むために、印刷時の熱対策が難しい上、複数枚の原稿の画像データを一度に入出力することができないという問題があった。
【００１３】
即ち、上述した特許文献１〜７の発明のいずれも、１枚以上の原稿の画像データを一度で読み出せる形式で出力原稿に保存することが困難であるという問題があった。
【００１４】
また、従来は、ステイプルされた状態の原稿を複写する場合には、ステイプルを原稿から取り外し、その原稿の画像データを複写し、原稿に再度ステイプル処理を行うという３つの工程を経る必要があった。このような作業は、特に原稿からステイプルを取り外すこと自体が困難な上肢障害者にとっては難しいという問題があった。
【００１５】
本発明は、上述したような従来技術の有する問題を解消するためになされたもので、その目的は、原稿の画像データの全ての内容を一度に読み出せる形式で出力することを可能とし、ステイプルを原稿から取り外すことなく、ステイプルされた状態の原稿の画像データの複写を可能にした画像記録装置及び画像記録方法を提供することにある。
【課題を解決するための手段】
【００１６】
上記目的を達成するために本発明の画像記録装置は、画像情報を入力する情報入力手段と、前記情報入力手段が入力した前記画像情報に基づいて記録紙に画像を記録する画像記録手段と、前記画像記録手段により前記画像が記録された複数枚の記録紙に綴じ処理をするステイプル手段であって、前記画像にかかる情報を記憶する記憶媒体が付加されたステイプル部材を用いて綴じ処理をするステイプル手段と、前記記憶媒体に前記画像にかかる情報を書き込む情報書込手段と、前記記憶媒体に保存される前記画像にかかる情報を読み出す情報読出手段と、前記ステイプル手段により綴じ処理がされた複数枚の記録紙を綴じるステイプル部材に付加された前記記憶媒体から前記情報読出手段が読み出した前記画像にかかる情報に基づいて、前記画像を他の複数枚の記録用紙に記録するよう前記画像記録手段を制御する制御手段と、を有することを特徴とする。
【００１７】
また、上記目的を達成するために本発明の画像記録方法は、画像情報を入力する情報入力工程と、前記情報入力工程にて入力した前記画像情報に基づいて記録紙に画像を記録する画像記録工程と、前記画像記録工程により前記画像が記録された複数枚の記録紙に綴じ処理をするステイプル工程であって、前記画像にかかる情報を記憶する記憶媒体が付加されたステイプル部材を用いて綴じ処理をするステイプル工程と、前記記憶媒体に前記画像にかかる情報を書き込む情報書込工程と、前記記憶媒体に保存される前記画像にかかる情報を読み出す情報読出工程と、前記ステイプル工程にて綴じ処理がされた複数枚の記録紙を綴じるステイプル部材に付加された前記記憶媒体から前記情報読出工程にて読み出した前記画像にかかる情報に基づいて、前記画像を他の複数枚の記録用紙に記録するよう前記画像記録工程を制御する制御工程と、を有することを特徴とする。
【発明の効果】
【００１８】
本発明によれば、綴じ処理がされた複数枚の記録紙にかかる画像の画像記録をさせたい場合に、ステイプル部材を記録紙から取り外すことなくステイプル部材に付加された記録媒体に記憶された情報に基づいて、複数枚の記録紙にかかる画像の画像記録を実行する画像記録装置及び画像記録方法を提供することができる。
【発明を実施するための最良の形態】
【００１９】
以下、本発明の画像記録装置及び画像記録方法の好適な実施の形態について、図面を参照しながら説明する。
【００２０】
（第１の実施の形態）
まず、第１の実施の形態について、図１〜図１０に基づき説明する。
【００２１】
＜画像記録装置のハードウェア＞
まず、本実施の形態に係る画像記録装置１００のハードウェアについて、図１に基づき説明する。
【００２２】
図１は、本実施の形態に係る画像記録装置を有する画像処理システムの構成を示すブロック図であり、この画像処理システムは、本実施の形態に係る画像記録装置１００と、他の画像記録装置１０１と、複数台（本実施の形態においては２台）のホストコンピュータ（PC：パーソナルコンピュータ）４０１,４０２と、複数台（本実施の形態においては２台）のFAX（ファクシミリ）５０１，５０２とから成る。
【００２３】
本実施の形態に係る画像記録装置１００は、制御装置（コントローラ部）１１０と、画像入力装置（リーダ部）２００と、画像出力装置（プリンタ部）３００とから成る。
【００２４】
リーダ部２００は、原稿の画像データ（画像情報）を光学的に読み取り、電気信号の画像データに変換する。このリーダ部２００は、原稿の画像データを読み取るための機能を持つスキャナユニット２１０と、原稿用紙を搬送するための機能を持つ原稿給紙ユニット２５０(以下、フィーダと記述する)とで構成される。
【００２５】
プリンタ部３００は、記録紙を搬送し、その記録紙上に画像データを可視画像として印刷して画像記録装置１００の外部に排出するものである。プリンタ部３００は、複数種類の記録紙カセットを持つ給紙ユニット３１０と、画像データを記録紙に転写して定着させる機能を持つマーキングユニット３２０と、画像データが印刷された記録紙をソート及びステイプルして、画像記録装置の外部へ出力する機能を持つ排紙ユニット３３０とで構成される。
【００２６】
制御装置１１０は、操作部１５０、リーダ部２００、プリンタ部３００、FAX（ファクシミリ）モデム５１０、HDD(ハードディスクドライブ)５２０と電気的に接続され、更に、ネットワーク（LAN：ローカルエリアネットワーク）４００を介してホストコンピュータ（PC：パーソナルコンピュータ）４０１,４０２と他の画像記録装置１０１とに、また、FAXモデム５１０及び電話回線５００を介してFAX（ファクシミリ）５０１，５０２に、それぞれ接続されている。また、制御装置１１０は、リーダ部２００を制御して、原稿の画像データを読み込み、プリンタ部３００を制御して画像データを記録紙に出力してコピー機能を提供する。更に、制御装置１１０は、リーダ部２００から読み取った画像データを、コードデータに変換し、ネットワーク４００を介してホストコンピュータ４０１，４０２へ送信するスキャナ機能、ホストコンピュータ４０１，４０２からネットワーク４００を介して受信したコードデータを画像データに変換し、プリンタ部３００に出力するプリンタ機能、入力された画像データをFAXモデム５１０と電話回線５００を介して送受信するFAX（ファクシミリ）機能、送受信した画像データをHDD５２０に蓄積するボックス機能を提供する。
【００２７】
＜操作部１５０＞
次に、本実施の形態に係る画像記録装置１００における操作部１５０について、図２に基づき説明する。
【００２８】
図２は、本実施の形態に係る画像記録装置１００における操作部１５０の構成を示す平面図であり、同図に示すように、操作部１５０は、制御装置１１０に接続され且つ液晶タッチパネルで構成され、本実施の形態に係る画像記録装置１００を操作するためのユーザI/F（インタフェース）を提供する。
【００２９】
図２において、６００はLCD（液晶表示器）タッチパネルで、主なモード設定及び状況表示は、ここで行われる。６０１は０〜９までの数値を入力するためのテンキー、６０２はID（識別子）キーで、画像記録装置１００が部門管理されている場合に、部門番号と暗証モード等の識別子を入力する際に使用されるものである。６０３は設定されたモードをリセットするためのリセットキー、６０４は各モードについての説明画面を表示するためのガイドキー、６０５はユーザモード画面に入るためのユーザモードキー、６０６は割り込みコピーを行うための割り込みキー、６０７はコピー動作をスタートさせるためのスタートキーである。
【００３０】
６０８は実行中のコピージョブを中止させるためのストップキー、６０９はソフト電源スイッチ（SW）で、このソフト電源スイッチ６０９を押下することにより、LCDタッチパネル６００のバックライトが消えて、画像記録装置１００は低電力状態になる。６１０は節電キーで、この節電キー６１０を押下することにより、節電状態に入り、この節電キー６１０を再度押下することにより、節電状態から通常状態に復帰する。６１１，６１２，６１３，６１４はコピー、送信、ボックス及び拡張に移行させるためのファンクションキーであり、図２は、コピーの標準画面が表示された状態を示しており、他のファンクションキー６１２，６１３，６１４を押下することにより、それぞれの機能の標準画面が表示される。
【００３１】
６１５はLCDタッチパネル６００のコントラストを調整するための調整キー、６１６はカウンタ確認キーで、このカウンタ確認キー６１６を押下することにより、それまでに仕様したコピー枚数の集計を表示するカウント画面がLCDタッチパネル６００上に表示される。６１７はジョブの実行中及び画像メモリへの画像蓄積（メモリ）中であることを示す表示器である実行／メモリLED（発光ダイオード）、６１８はジャム、ドアオープン等の画像記録装置１００がエラー状態にあることを示す表示器であるエラーLED（発光ダイオード）、６１９は画像記録装置１００のメインスイッチがオン（ON）になっていることを示す表示器である電源LED（発光ダイオード）である。６２９はマイクロフォン、６２１はスピーカ、６２２は非接触型のIC（集積回路）チップ（記憶手段）読取装置である。
【００３２】
＜リーダ部２００及びプリンタ部３００＞
次に、本実施の形態に係る画像記録装置１００におけるリーダ部２００及びプリンタ部３００について、図３に基づき説明する。
【００３３】
図３は、本実施の形態に係る画像記録装置１００におけるリーダ部２００及びプリンタ部３００の内部構成を示す側断面図である。
【００３４】
図３において、リーダ部２００の原稿給送ユニット２５０は、原稿を先頭順に１枚ずつプラテンガラス２１１上へ給送して、原稿の画像データの読み取り動作を終了した後、プラテンガラス２１１上の原稿を排出トレイ２１９に排出するものである。原稿がプラテンガラス２１１上に搬送されると、ランプ２１２を点灯し、そして、光学ユニット２１３の移動を開始させて、原稿を露光走査する。この時の原稿からの反射光は、ミラー２１４，２１５，２１６及びレンズ２１７によってCCDイメージセンサ(以下、CCDと記述する)２１８へ導かれる。このように、走査された原稿の画像データは、CCD２１８によって読み取られる。CCD２１８から出力される画像データは、所定の処理が施された後、制御装置１１０（図１参照）へ転送される。
【００３５】
一方、プリンタ部３００のレーザドライバ３２１は、レーザ発光部３２２を駆動するものであり、制御装置１１０から出力された画像データに応じたレーザ光をレーザ発光部３２２に発光させる。このレーザ光は、感光ドラム３２３に照射され、この感光ドラム３２３には、レーザ光に応じた潜像が形成される。この感光ドラム３２３の潜像の部分には、現像器３２４によって現像剤が付着される。そして、レーザ光の照射開始と同期したタイミングで、記録紙カセット３１１，３１２，３１３，３１４、手差し給紙段３１５のいずれかから記録紙を給紙すると、その記録紙は搬送路３３１によって転写部３２５へ導かれる。そして、感光ドラム３２３に付着された現像剤が記録紙に転写される。現像剤が転写された記録紙は、搬送ベルト３２６によって定着部３２７に搬送され、この定着部３２７の熱と圧力とにより、現像剤は記録紙に定着される。その後、定着部３２７を通過した記録紙は、搬送路３３５及び搬送路３３４を通り、排紙ビン３２８に排出される。或いは、記録紙の印刷面を反転して排紙ビン３２８に排出する場合には、記録紙は搬送路３３６及び搬送路３３８まで導かれ、そこから記録紙は逆方向に搬送され、搬送路３２９及び搬送路３３７を通るものである。
【００３６】
また、記録紙の両面記録が設定されている場合は、記録紙は定着部３２７を通過した後、搬送路３３６からフラッパ３２９によって搬送路３３３に導かれ、その後、記録紙は逆方向に搬送されて、フラッパ３２９によって、搬送路３３８及び再給紙搬送路３３２へ導かれる。この再給紙搬送路３３２へ導かれた記録紙は、上述したタイミングで搬送路３３１を通り、転写部３２５へ給送される。
【００３７】
＜フィニッシャ部＞
次に、本実施の形態に係る画像記録装置１００に装着されるフィニッシャ部について、図４に基づき説明する。
【００３８】
図４は、本実施の形態に係る画像記録装置１００に装着されるフィニッシャ部の内部構成を示す側断面図である。
【００３９】
図４において、３５０はフィニッシャ部で、プリンタ部３００に備え付けられた排紙ビン３２８を取り除いた箇所に装着されるものである。記録紙は、搬送路３３４から排出されることによって、フィニッシャ部３５０に送られる。この時、印刷した記録紙の印刷面は上を向いており、排紙時に印刷面を下にするために、フィニッシャ部３５０により記録紙の向きを反転させる。この反転処理は、フラッパ３５１を下げて搬送ローラ３５２により記録紙を一時的に上方に送り、記録紙が上まで行き着いたところで、搬送ローラ３５２を逆転させて記録紙を排紙口へ送り出すものである。
【００４０】
フィニッシャ部３５０は、４つの排紙ビン３６１を有している。そして、排紙口駆動装置３５３により排紙部３６０を上下に移動させることにより、任意の排紙ビン３６１に記録紙を出力することが可能となっている。排出された複数枚の記録紙にステイプル処理を施す場合、複数枚の記録紙を搬送路３６３に一時的に保持し、原稿がそろった時点で、反転ローラ３６２を搬送方向から逆転することによって、複数枚の記録紙の端をステイプル装置３５４にセットしてステイプルした後、再度逆転することでステイプルした記録紙を排紙ビン３６１に排出することが可能となっている。また、ステイプル装置３５４は、ステイプル部材（針）に付加された記憶媒体であるICチップにデータを書き込む機能を有している。
【００４１】
＜制御装置１１０＞
次に、本実施の形態に係る画像記録装置１００における制御装置１１０について、図５に基づき説明する。
【００４２】
図５は、本実施の形態に係る画像記録装置１００における制御装置１１０の構成を示すブロック図であり、同図において、１１１はメインコントローラで、主にCPU（中央演算処理装置）１１２と、バスコントローラ１１３と、各種I/Fコントローラ回路とから構成されている。
【００４３】
CPU１１２とバスコントローラ１１３は、制御装置１１０全体の動作を制御するものであり、CPU１１２は、ROM（リードオンリーメモリ）１１４からROM I/F（インタフェース）１１５を経由して読み込んだプログラムに基づいて動作する。また、ホストコンピュータから受信したPDL(ページ記述言語)コードデータを解釈し、ラスタイメージデータに伸張する動作も、このプログラムに記述されており、ソフトウェアによって処理される。バスコントローラ１１３は、各I/F（インタフェース）から入出力されるデータ転送を制御するものであり、バス競合時の調停やDMA（ダイレクトメモリアクセス）データ転送の制御を行う。
【００４４】
DRAM（ダイナミックランダムアクセスメモリ）１１６は、DRAM I/F（インタフェース）１１７によってメインコントローラ１１１と接続されており、CPU１１２が動作するためのワークエリアや、画像データを蓄積するためのエリアとして使用される。
【００４５】
ネットワークコントローラ（Network Controller）１２１は、I/F（インタフェース）１２３によってメインコントローラ１１１と接続され、コネクタ１２２によって外部ネットワークと接続される。ネットワークとしては、一般的にイーサネット（登録商標）及びFAXモデムを介した電話回線が挙げられる。
【００４６】
汎用高速バス１２５には、拡張ボードを接続するための拡張コネクタ１２４とI/O（入出力）制御部１２６とが接続される。汎用高速バス１２５としては、一般的にPCIバスが挙げられる。
【００４７】
I/O制御部１２６には、リーダ部２００、プリンタ部３００の各CPUと制御コマンドを送受信するための調歩同期シリアル通信コントローラ１２７が２チャンネル装備されており、I/Oバス１２８によって外部I/F（インタフェース）回路であるスキャナI/F（インタフェース）１４０及びプリンタI/F（インタフェース）１４５に接続されている。
【００４８】
パネルI/F（インタフェース）１３２は、LCD（液晶表示器）コントローラ１３１に接続され、操作部１５０上のLCDタッチパネル６００に表示を行うためのI/F（インタフェース）と、ハードキーやタッチパネルキーの入力を行うためのキー入力I/F（インタフェース）とから構成される。
【００４９】
操作部１５０は、液晶表示部と、該液晶表示部上に張り付けられたタッチパネル入力装置と、複数個のハードキーとを有する。タッチパネルまたはハードキーにより入力された信号は、前述したパネルI/F１３２を介してCPU１１２に伝えられ、液晶表示部は、パネルI/F１３２から送られてきた画像データを表示するものである。この液晶表示部には、本実施の形態に係る画像記録装置１００の操作部１５０の操作における機能表示や画像データ等を表示する。
【００５０】
リアルタイムクロックモジュール１３３は、機器内で管理する日付と時刻とを更新／保存するためのもので、バックアップ電池１３４によってバックアップされている。
【００５１】
E-IDEコネクタ１６１は、外部記憶装置を接続するためのものである。このE-IDEコネクタ１６１を介してハードディスクやCD-ROMドライブ等の外部記憶装置を接続し、プログラムや画像データを書き込んだり、読み込んだりすることができる。
【００５２】
コネクタ１４１，１４７は、それぞれリーダ部２００とプリンタ部３００とに接続され、同調歩同期シリアルI/F（インタフェース）１４３，１４８とビデオI/F（インタフェース）１４４，１４９とから構成される。
【００５３】
スキャナI/F（インタフェース）１４０は、コネクタ１４２を介してリーダ部２００と接続され、また、スキャナバス１４１によってメインコントローラ１１１と接続されており、リーダ部２００から受け取った画像データを、その後の過程における処理の内容によって、最適な２値化処理を行ったり、主走査・副走査の変倍処理を行ったりする機能を有し、更に、リーダ部２００から送られたビデオ制御信号をもとに生成した制御信号を、スキャナバス１４１に出力する機能をも有する。スキャナバス１４１からDRAM１１６へのデータ転送は、バスコントローラ１１３によって制御される。
【００５４】
プリンタI/F１４５は、コネクタ１４７を介してプリンタ部３００と接続され、また、プリンタバス１４６によってメインコントローラ１１１と接続されており、該メインコントローラ１１１から出力された画像データにスムージング処理を施して、プリンタ部３００へ出力する機能を有し、更に、プリンタ部３００から送られたビデオ制御信号をもとに生成した制御信号を、プリンタバス１４６に出力する機能をも有する。
【００５５】
DRAM１１６上に伸張されたラスタイメージデータのプリンタ部３００への転送は、バスコントローラ１１３によって制御され、プリンタバス１４６、ビデオI/F１４９を経由して、プリンタ部３００へDMA転送される。
【００５６】
＜メインコントローラ１１１＞
次に、本実施の形態に係る画像記録装置１００におけるメインコントローラ１１１について、図６に基づき説明する。
【００５７】
図６は、本実施の形態に係る画像記録装置１００におけるメインコントローラ１１１の構成を示すブロック図である。
【００５８】
図６において、プロセッサコア(CPU)４０１は、６４ビットのプロセッサバス(SCバス)を介して、システムバスブリッジ(SBB)４０２に接続される。SBB４０２は、４×４の６４ビットクロスバスイッチであり、プロセッサコア４０１の他に、キャッシュメモリを備えたSDRAMやROMを制御するメモリコントローラ４０３と専用のローカルバス(MC Bus)で接続されており、更に、グラフィックバスであるGバス(G Bus)４０４、IOバスであるBバス(B Bus)４０５と接続され、全部で４つのバスに接続される。SBB４０２は、これら４モジュール間を、可能な限り同時平行接続を確保することができるように設計されている。また、SBB４０２は、データの圧縮伸張ユニット(CODEC)４１８にCODEC I/F（インタフェース）を介して接続されている。
【００５９】
Gバス４０４は、Gバスアービタ(GBA)４０６により協調制御されており、スキャナ部２００やプリンタ部３００と接続するためのスキャナ／プリンタコントローラ(SPC)４０８に接続される。また、Bバス４０５は、Bバスアービタ(BBA)４０７により協調制御されており、SPC４０８の他、電力管理（パワーマネージメント）ユニット(PMU)４０９、インタラプトコントローラ(IC)４１０、UARTを用いたシリアルインタフェースコントローラ(SIC)４１１、USBコントローラ(USBC)４１２、IEEE１２８４を用いたパラレルインタフェースコントローラ(PIC)４１３、イーサネット（登録商標）を用いたLANコントローラ(LANC)４１４、LCDパネル、キー、汎用入出力コントローラ(PC)４１５、PCIバスインタフェース(PCIC)４１６にも接続されている。PC４１５には、表示パネルやキーボード等を備えた操作パネル４１７が接続される。
【００６０】
＜インタラプトコントローラ４１０＞
次に、本実施の形態に係る画像記録装置１００におけるインタラプトコントローラ４１０について説明する。
【００６１】
インタラプトコントローラ４１０は、Bバス４０５に接続され、メインコントローラチップ内の各機能ブロック及びメインコントローラチップの外部からのインタラプトを集積し、プロセッサコア４０１がサポートする６レベルの外部インタラプト及びノンマスカブルインタラプト(NMI)に再分配する。各機能ブロックとは、電力管理ユニット４０９、シリアルインタフェースコントローラ４１１、USBコントローラ４１２、パラレルインタフェースコントローラ４１３、イーサネット（登録商標）コントローラ４１４、汎用入出力コントローラ４１５、PCIインタフェースコントローラ４１６、スキャナ／プリンタコントローラ４０８等である。
【００６２】
＜メモリコントローラ４０３＞
次に、本実施の形態に係る画像記録装置１００におけるメモリコントローラ４０３について説明する。
【００６３】
メモリコントローラ４０３は、メモリコントローラ専用のローカルバスであるMCバスに接続され、シンクロナスDRAM(SDRAM)やフラッシュROMやROMを制御する。
【００６４】
＜システムバスブリッジ４０２＞
次に、本実施の形態に係る画像記録装置１００におけるシステムバスブリッジ４０２について、図７に基づき説明する。
【００６５】
図７は、本実施の形態に係る画像記録装置１００におけるシステムバスブリッジ４０２の構成を示すブロック図である。
【００６６】
システムバスブリッジ（SBB）４０２は、Bバス(入出力バス)、Gバス(グラフィックバス)、SCバス(プロセッサローカルバス)及びMCバス間の相互接続を、クロスバスイッチを用いて提供するマルチチャネル双方向バスブリッジである。クロスバススイッチにより２系統の接続を同時に確立することができ、並列性の高い高速データ転送を実現することができる。
【００６７】
図７において、SBB４０２は、Bバス４０５と接続するためのBバスインタフェース２００９と、Gバス４０４と接続するためのGバスインタフェース２００６と、プロセッサコア４０１と接続するためのCPUインタフェーススレーブポート２００２と、メモリコントローラ４０３と接続するためのメモリインタフェースマスターポート２００１と、圧縮伸張ユニット(CODEC)４１８と接続するためのCODECバスインタフェース２０１４を備える他、アドレスバスを接続するアドレススイッチ２００３、データバスを接続するデータスイッチ２００４を含む。また、SBB４０２は、プロセッサコア４０１のキャッシュメモリを無効化するキャッシュインバリデーションユニット（キャッシュ無効化ユニット）２００５を備えている。アドレススイッチ２００３は、シーケンサ２００３ａを有している。
【００６８】
また、図７において、２００８はGバスインタフェーススレーブポート、２００９はGバスインタフェースデータポート、２０１０はBバスインタフェーススレーブポート、２０１１はBバスインタフェースマスターポート、２０１２はBバスインタフェースデータポート、２０１３はBバス、２０１５はCODECバスインタフェースデータポート、２０１６はCODECバスインタフェーススレーブポートである。
【００６９】
＜PCIバスインタフェース４１６＞
次に、本実施の形態に係る画像記録装置１００におけるPCIバスインタフェース４１６について説明する。
【００７０】
PCIバスインタフェース４１６は、メインコントローラ内部汎用IO（入出力）バスであるBバスとチップ外部IO（入出力）バスであるPCIバスとの間をインタフェースするブロックである。
【００７１】
＜Gバスアービタ４０６、Bバスアービタ４０７＞
次に、本実施の形態に係る画像記録装置１００におけるGバスアービタ４０６及びBバスアービタ４０７について説明する。
【００７２】
Gバスのアービトレーションは、中央アービトレーション方式であり、各バスマスタに対して専用のリクエスト信号とグラント信号を持つ。このGバスアービタ４０６は、制御方法をプログラミングすることができる。また、バスマスタへの優先権の与え方として、全てのバスマスタを同じ優先権として、公平にバス権を与える公平アービトレーションモードと、いずれか１つのバスマスタの優先権を上げ、優先的にバスを使用させる優先アービトレーションモードのどちらかを指定できる。
【００７３】
Bバスアービタ４０７は、IO（入出力）汎用バスであるBバス４０５のバス使用要求を受け付け、調停の後、使用許可を選択された１つのマスタに対して与え、同時に２つ以上のマスタがバスアクセスを行うことを禁止する。アービトレーション方式は、３段階のプライオリティを持ち、それぞれのプライオリティに複数のマスタをプログラマブルに割り当てられる構成になっている。
【００７４】
＜スキャナ／プリンタコントローラ４０８＞
次に、本実施の形態に係る画像記録装置１００におけるスキャナ／プリンタコントローラ４０８について、図８に基づき説明する。
【００７５】
図８は、本実施の形態に係る画像記録装置１００におけるスキャナ／プリンタコントローラ４０８の構成を示すブロック図である。
【００７６】
図８において、スキャナ／プリンタコントローラ４０８は、ビデオインタフェース（Video I/F）によってリーダ部２００及びプリンタ部３００と接続され、内部バスであるGバス及びBバスにインタフェースするブロックである。
【００７７】
図８に示すように、スキャナ／プリンタコントローラ４０８は、大別してスキャナコントローラ４３０２と、プリンタコントローラ４３０３と、Gバス/BバスI/Fユニット(GBI)４３０１A，４３０１Bの３つのブロックから構成される。
【００７８】
スキャナコントローラ４３０２は、リーダ部２００とビデオI/F（インタフェース）で接続され、動作制御及びデータ転送制御を行う。また、スキャナコントローラ４３０２は、Gバス/BバスI/Fユニット(GBI)４３０１AとIFバスで接続され、データ転送及びレジスタのリード／ライトが行われる。
【００７９】
また、プリンタコントローラ４３０３は、プリンタ部３００とビデオI/Fで接続され、動作制御及びデータ転送制御を行う。また、プリンタコントローラ４３０３は、GBI４３０１BとIFバスで接続され、データ転送及びレジスタのリード／ライトが行われる。
【００８０】
CPバスは、リーダ部２００とプリンタ部３００の画像データ及び水平垂直同期のための同期信号を直結するためのバスである。
【００８１】
更に、Gバス/BバスI/Fユニット(GBI)４３０１A，４３０１Bは、スキャナコントローラ４３０２及びプリンタコントローラ４３０３をGバスまたはBバスに接続するためのユニットである。また、Gバス/BバスI/Fユニット(GBI)４３０１A，４３０１Bは、スキャナコントローラ４３０２とプリンタコントローラ４３０３とにそれぞれ独立して接続され、GバスとBバスの両方に接続されている。
【００８２】
＜電力管理ユニット４０９＞
次に、本実施の形態に係る画像記録装置１００における電力管理（パワーマネージメント）ユニット４０９について説明する。
【００８３】
メインコントローラ１１１は、CPUを内蔵した大規模なASIC（特定用途向け集積回路）である。このため、内部のロジックが全部同時に動作してしまうと、大量の熱を発生し、メインコントローラチップ自体が破壊されてしまう恐れがある。これを防ぐために、メインコントローラ１１１は、電力管理ユニット４０９によりブロック毎の電力の管理、即ちパワーマネージメントを行い、更にメインコントローラチップ全体の消費電力量の監視を行う。
【００８４】
パワーマネージメント（電力管理）は、それぞれのブロックが各自個別に行う。各ブロックの消費電力量の情報は、パワーマネージメントレベルとして、電力管理ユニット４０９に集められる。電力管理ユニット４０９では、各ブロックの消費電力量を合計し、その値が限界消費電力を超えないように、メインコントローラ１１１の各ブロックの消費電力量を一括して監視する。
【００８５】
＜画像記録装置１００のソフトウェア＞
次に、本実施の形態に係る画像記録装置１００のソフトウェアについて説明する。
【００８６】
本実施の形態に係る画像記録装置１００は、コピー、送信、ボックス、拡張の機能を提供する。
【００８７】
コピー機能は、ユーザがコピーキー６１１を押下してコピー動作のスタートを指示することによって、原稿の画像データを光学的に読み取り、電気信号の画像データに変換するリーダ部２００から、記録紙に画像データを転写するプリンタ部３００までの一連の流れをユーザに提供する。コピーは、倍率変換、用紙選択、濃度設定、ソート、両面印刷、応用機能設定及びシステム管理等の機能で構成される。
【００８８】
送受信機能は、ユーザが送受信キー６１２を押下して送受信のスタートを指示することによって、リーダ部２００等を用いて取り込まれた画像データを、画像記録装置１００とPC４０１との間をLAN４００経由で、または、画像記録装置１００とFAX５０１との間を電話回線５００経由で送受信する機能をユーザに提供する。
【００８９】
ボックス機能は、ユーザがボックススイッチ６１３を押下してボックスのスタートを指示することによって、リーダ部２００等を用いて取り込まれた画像データのHDD５２０への保存及びHDD５２０に保存された内容の印刷、消去及びパネルI/F１３２への表示等の機能をユーザに提供する。
【００９０】
なお、ボックス機能については公知であるから、その説明は省略する。
【００９１】
拡張機能は、ユーザが拡張スイッチ６１４を押下して拡張のスタートを指示することによって、画像記録装置１００のデバイス管理、プリント、コピー、送受信等のジョブ管理、ボックス管理、システム情報管理等の機能を、LAN４００を介しPC４０１から操作する手段をユーザに提供する。
【００９２】
以上で説明した本実施の形態に係る画像記録装置１００のハードウェア及びソフトウェアの構成及び以下で説明するフローチャートとICチップのデータ領域定義例を用いて、更に詳細に説明する。
【００９３】
＜ステイプル部材に付加されたICチップに原稿画像データを入力しステイプルする方法＞
次に、本実施の形態に係る画像記録装置１００において、ステイプル上のICチップに原稿情報を入力して、複数枚の記録紙をステイプルする方法について、図９のフローチャートを用いて説明する。
【００９４】
この方法は、請求項１，２及び５に係る発明に対応するもので、画像記録装置１００によって原稿の画像データを印刷し、フィニッシャ装置３５０のステイプル装置３５４によってステイプル処理を施す前に実施する方法である。
【００９５】
図９において、まず、ステップＳ９０１で、ICチップの記憶容量（残容量）を検知し、次のステップＳ９０２で、ICチップの記憶容量が原稿データと原稿データに補足する情報を足したものよりも大きいか否か（ICチップの記憶容量≧原稿データ量＋追加情報量）を判断する。そして、ICチップの記憶容量が原稿データと追加情報とを足したものよりも大きいと判断された場合は、ステップＳ９０３へ進んで、ICチップに原稿データを保存した後、ステップＳ９０７へ進む。
【００９６】
一方、前記ステップＳ９０２において、ICチップの記憶容量が原稿データと追加情報とを足したものよりも小さいと判断された場合は、ステップＳ９０４へ進んで、ID（識別子）等を発行する。次に、ステップＳ９０５で、MFP・サーバ等にID等及び原稿データを保存する。次に、ステップＳ９０６で、ICチップにID等及び保存した機器を示す情報(IPアドレス等)を保存する。また、同時に、ID領域に入力するデータとして、キーワード及び暗号鍵等の拡張情報を保存する。次に、ステップＳ９０７で、プリンタ部３００を用いて原稿の画像データの記録紙への印刷及びステイプル装置３５４を用いて該ICチップ付ステイプルにより複数枚の記録紙をステイプル処理した後、本処理動作を終了する。
【００９７】
前記ICチップには、文字、画像、ページレイアウト等の画像データが持つ基本情報と、両面、Nin１、フィニッシャ処理等の印刷時の設定情報と、動画像や音やURL等の拡張情報の内の１つ以上の情報を保存する。前記IDが示す情報の存在場所は、画像記録装置１００または画像記録装置１００とネットワーク接続されたPC・サーバのファイル等である。
【００９８】
＜ステイプル部材に付加されたICチップから原稿情報を読み取り、原稿情報にかかる画像を記録出力する方法＞
次に、本実施の形態に係る画像記録装置１００におけるステイプル上のICチップから原稿情報を出力する方法について、図１０のフローチャートに基づき説明する。
【００９９】
この方法は、請求項１８，１９に係る発明に対応するもので、ICチップをステイプルした原稿から画像データを読み取り複写する際に実施する方法である。
【０１００】
図１０において、まず、ステップＳ１００１で、ICチップ読取装置６２２を用いて原稿の画像データを読み取る。次に、ステップＳ１００２で、前記ステップＳ１００１において読み取った原稿の画像データが指定フォーマットか否かを判断する。そして、読み取った原稿の画像データが指定フォーマットではないと判断され、情報の解読ができない場合は、ステップＳ１００７へ進んで、操作部１５０の表示部に音・光・UI等によりエラー表示した後、本処理動作を終了する。
【０１０１】
一方、前記ステップＳ１００２において、読み取った原稿の画像データが指定フォーマットであると判断され、情報の解読ができる場合は、ステップＳ１００３へ進んで、データを解析し、読み取ったデータがID等とIPアドレスの１つ以上を含むか否かを判断する。そして、読み取ったデータがID等とIPアドレスの１つ以上を含まないと判断された場合は、ステップＳ１００５へ進む。
【０１０２】
一方、前記ステップＳ１００３において、読み取ったデータがID等とIPアドレスの１つ以上を含むと判断された場合は、ステップＳ１００４へ進んでID等に関連する原稿の画像データがMFP・サーバ上に存在するか否かを判断する。そして、ID等に関連する原稿の画像データがMFP・サーバ上に存在しないと判断された場合は、前記ステップＳ１００７へ進んで、操作部１５０の表示部に音・光・UI等によりエラー表示した後、本処理動作を終了する。
【０１０３】
一方、前記ステップＳ１００４において、ID等に関連する原稿の画像データがMFP・サーバ上に存在すると判断された場合は、ステップＳ１００５へ進んで、IPアドレスが指定する機器のID等が示す原稿の画像データを、IPアドレスが無ければ画像記録装置１００のIDが示す原稿の画像データを検索して取得する。情報の解析ができ、読み取ったデータがIPアドレス・ID等以外(つまり、実データである原稿データ自体)ならば、ICチップから原稿の画像データを取得する。次に、ステップＳ１００６で、印刷及びICステイプル処理を行った後、本処理動作を終了する。
【０１０４】
読み取った画像データは、印刷やICステイプルだけでなく、原稿の画像データの画像記録装置１００への保存機能、原稿の画像データのPCや電子メール等へ送信機能、音声出力機能等の複写機が備える機能を用いて加工することが可能であるが、本提案の範疇外となるため、その説明は割愛する。
【０１０５】
＜ICチップのデータ保存形式の定義＞
次に、本実施の形態に係る画像記録装置１００におけるICチップのデータ保存形式の定義について、図１１に基づき説明する。
【０１０６】
図１１は、ICチップのデータ保存形式の分類を説明するための図であり、同図用いてICチップのデータ保存形式を分類する。分類されたパターンは３つ有る。即ち、（１）ホストを示すコード量未満、（２）ホストを示すコード量以上で原稿の画像データ量未満、（３）原稿の画像データ量以上の３つのパターンである。
【０１０７】
パターン１(N５０)は、図１１（ａ）に示すように、ICチップの容量がホストを示すコード量(本実施の形態では３２bitのIpv４)未満の場合であり、全領域をIDとする。容量０ならば指定ホストに１つ、３２bit未満のICチップならば画像記録装置１００または画像記録装置１００が示すホストにID領域のbitで表現できる数だけ原稿情報を保存することができる。
【０１０８】
パターン２は、ICチップの容量がホストを示すコード量(本実施の形態では３２bitのIpv４)以上原稿の画像データの容量以下の場合であり、２通り存在する。１つ目であるパターン２−１は、図１１（ｂ）に示すように、ICチップの容量が３２bit以上１２８bit未満の場合であり(N６０)、３２bitをIpv４として用いて残りをIDとする。３２bit ICチップならば指定ホストに１つ、１２８bit未満のICチップならばIPv4が示すホストにbitで表現できる個数だけ原稿情報を保存できる。２つ目であるパターン２−２は、図１１（ｃ）に示すように、ICチップの容量が１２８bit以上原稿の画像データ容量未満の場合であり(N７０)、１２８bitをIpv６として用いて残りのbitをIDとする。１２８bit ICチップならばIpv６が示すホストに１つ、それ以上の容量のICチップならばIpv６が示すホストにbitで表現できる個数だけ原稿情報を保存できる。但し、３２bit強や１２８bit強のICチップの場合は、ID bitの割り当てが少なく表現できる数値が小さいため、１２８bit強のICチップならば図１１（ｂ）に示すパターン２−１のデータ保存形式を、３２bit強のICチップならば図１１（ａ）に示すパターン１のデータ保存形式を用いることも可能である。
【０１０９】
パターン３(N８０)は、図１１（ｄ）に示すように、ICチップの容量が原稿の画像データ容量以上の場合であり、該原稿の画像データをICチップに保存する。
【０１１０】
但し、パターン３でもパターン１やパターン２のようにIPアドレスやIDを用いて保持することも可能であり、システム要求とのトレードオフを考える必要がある。
【０１１１】
前記ID部は、０以上複数のIDを持つことが可能なため、原稿情報を示すIDだけでなく、拡張情報(印刷情報、ファイルやディレクトリ等)、キーワード、文書の鍵となるデータ等を持つことも可能となる。ID部の形式は、固定形式と可変形式がある。固定形式は１つのIDを数ビット固定とする形式(例えば、８bit)で、可変形式はIDビットの先頭と終了に指定ビット列(例えば、１１１１１１１)を挿入する形式である。また、同様に実データ領域も固定長・可変長の方式を採用することができる。また、同様にIPアドレスも複数持つことができる。
【０１１２】
＜原稿の画像データ入出力の一連の流れ＞
次に、本実施の形態に係る画像記録装置１００における原稿データ入出力の一連の流れについて、図９のフローチャート及び図１１（ａ）を用いて説明する。
【０１１３】
図１１（ａ）のパターン１(N５０)を用いた複写は、画像記録装置１００または指定ホスト４０１に原稿の画像データを保存する方法である。
【０１１４】
ここで、パターン１(N５０)のICチップは３２bit未満である。
【０１１５】
原稿の画像データは、外部装置である読取装置等から画像記録装置１００に入力される。パターン１(N５０)のICチップの容量と原稿の画像データの容量とを比較すると、ICチップの容量の方が原稿の画像データの容量よりも小さい（図９のステップＳ９０２）。よって、原稿の画像データが一意に決定するIDを発行し（図９のステップＳ９０４）、画像記録装置１００等の既定ファイルに、ID、原稿の画像データファイル名と場所、追加情報等の場所等を表すテーブルを追加し、指定の場所に保存する(図９のステップＳ９０５)。保存した原稿の画像データと同じIDをICチップに保存し、原稿の画像データを画像処理してプリンタ部３００により記録紙に印刷し、フィニッシャ装置３５０のステイプル装置３５４を用いて、ICチップ付ステイプルにより複数枚の記録紙をステイプル処理する(図９のステップＳ９０７)。
【０１１６】
以上のように、本実施の形態によれば、原稿の画像データ、原稿の画像データの存在場所等を示すID、IPアドレス、キーワード、データ構造等をステイプル上のICチップに保存することが可能となり、ステイプル上のICチップからの原稿の画像データの読み出しや、キーワード検索や文書復号化が可能となる。
【０１１７】
旧来、ユーザは、ステイプル処理された原稿を複写する際、原稿からステイプルを取り外し、その原稿を複写した後、再び原稿にステイプルするという３つの工程を経る必要があった。このような作業は、特に、原稿からステイプルを取り外すこと自体が困難な上肢障害者にとって難しかったが、本実施の形態によれば、ユーザは、ステイプルを原稿から取り外すことなく、一度のICチップの読み取りだけで、全ての原稿のデータを複写することができるようになる。
【０１１８】
また、印刷後に記録紙をステイプルするため、ICチップの熱問題も解決する。
【０１１９】
即ち、本実施の形態に係る画像記録装置１００において、ステイプル上のICチップ間との原稿情報の保存方法には２種類あり、ICチップ搭載メモリのサイズが必要とする領域よりも大きい場合は、ICチップに原稿情報を保持し、小さい場合は、ICチップに原稿情報の場所を示すIDを保持する。原稿情報の実体は、ICチップ、画像記録装置１００、サーバ、PC等の内の１つ以上に保存される。原稿情報とは、原稿に含まれる文書、画像、関連情報、原稿の実態を表すID等の内の１つ以上のことを言う。
【０１２０】
記録紙に画像データの印刷及び原稿情報を持つICチップ付きステイプルを用いてステイプルし、そのステイプル上のICチップから原稿情報を読み込むことで、原稿からステイプルを取り外すことなく、再度画像データを印刷することが可能になる。
【０１２１】
（第２の実施の形態）
次に、第２の実施の形態に係る画像記録装置における画像データ入出力の一連の流れについて、図１１（ａ）のパターン２(N６０)及び図９のフローチャートを用いて説明する。
【０１２２】
なお、本実施の形態に係る画像記録装置の構成は、上述した第１の実施の形態の図１〜図８と同一であるから、これら各図を流用して説明する。
【０１２３】
パターン２−１(N６０)は、ネットワーク接続されたホストに原稿データを保存する方法である。パターン２−１(N６０)のICチップは、IPアドレスのデータ容量(３２bitのIpv４)よりも大きいが原稿データよりも小さい容量である。
【０１２４】
本実施の形態において、上述した第１の実施の形態との相違点は、画像記録装置１００に設定された原稿の画像データを保存できる機器情報(画像記録装置１００、サーバ、PC等)及び空き容量から最も空き容量がある機器を１つ選択することによってIPアドレスを取得し、ネットワーク接続された機器に原稿データを保存することである。また、将来的にIpv６に移行するために、１２８bitよりも大きな容量のICチップは、図１１（ｃ）に示すパターン２−２(N７０)の１２８bitのIpv６を用いることも可能である。
【０１２５】
原稿の画像データは、外部装置である読取装置等から画像記録装置１００に入力される。パターン２−１(N６０)のICチップ容量は、該原稿データ容量よりも小さい(図９のステップＳ９０２)。よって、原稿の画像データが一意に決定するIDを発行し(図９のステップＳ９０４)、画像記録装置１００に設定された原稿の画像データを保存できる機器情報(画像記録装置１００、サーバ、PC等)及び空き容量から最も空き容量がある機器を１つ選択することによってIPアドレスを取得する。取得したIPアドレスから得た装置の既定ファイルに、ID、原稿の画像データファイル名、追加情報等の場所を表すテーブルを追加し、指定の場所に保存する(図９のステップＳ９０５)。IPアドレス及び該IDをICチップに保存し、原稿の画像データを画像処理して記録紙に印刷し、フィニッシャ装置３５０のステイプル装置３５４によりICチップ付きステイプルを用いて複数枚の記録紙をステイプル処理する(図９のステップＳ９０７)。
【０１２６】
（第３の実施の形態）
次に、第３の実施の形態に係る画像記録装置における画像データ入出力の一連の流れを、図１１（ｄ）のパターン３(N８０)及び図９のフローチャートを用いて説明する。
【０１２７】
なお、本実施に形態に係る画像記録装置の構成は、上述した第１の実施の形態の図１〜図８と同一であるから、これら各図を流用して説明する。
【０１２８】
パターン３(N８０)は、ICチップに原稿の画像データを保存する方法である。パターン３(N８０)のICチップ容量は原稿の画像データ容量よりも大きい。
【０１２９】
本実施の形態において上述した第１及び第２の実施の形態との相違点は、ICチップ自体に原稿の画像データを保存することである。
【０１３０】
原稿の画像データは、外部装置である読取装置等から画像記録装置１００に入力される。パターン３(N８０)のICチップは、原稿の画像データよりも大きい(図９のステップＳ９０２)。よって、ICチップに原稿の画像データを保存し(図９のステップＳ９０３)、原稿の画像データを画像処理して、記録紙に印刷し、フィニッシャ装置３５０のステイプル装置３５４によりICチップ付きステイプルを用いて複数枚の記録紙をステイプル処理する(図９のステップＳ９０７)。
【０１３１】
（第４の実施の形態）
次に、第４の実施の形態について、図１２を用いて説明する。
【０１３２】
なお、本実施の形態に係る画像記録装置の構成は、上述した第１の実施の形態の図１〜図８と同一であるから、これら各図を流用して説明する。
【０１３３】
本実施の形態は、上述した実施の形態で説明した複写動作に加えて行われる。図１１におけるID領域には、IDだけでなく本実施の形態において説明するキーワードや復合鍵等も含まれるが、これらの付加機能データの識別には、タグ付けで対応する。
【０１３４】
本実施の形態に係る画像記録装置１００において、印刷及びICチップ付きステイプルによりステイプル処理を施された原稿から類似文書を検索して、再度印刷する方法について、図１２を用いて説明する。
【０１３５】
キーワード検索は、ICチップ保存のIDを用いて文書を検索したが、文書が無かった場合等に行う。
【０１３６】
図１２において、まず、ステップＳ１２０１で、ICチップからデータを読み取る。次に、ステップＳ１２０２で、前記ステップＳ１２０１において読み取ったICチップ内のデータが指定されたフォーマットであるか否かを判断する。そして、ICチップ内のデータが指定されたフォーマットでないと判断された場合は、ステップＳ１２１０へ進んで、操作部１５０の表示部に音・光・UI等によりエラー表示した後、本処理動作を終了する。
【０１３７】
一方、前記ステップＳ１２０２において、ICチップ内のデータが指定されたフォーマットであると判断された場合は、ステップＳ１２０３へ進んで、キーワードが存在するか否かを判断する。そして、キーワードが存在しないと判断された場合は、本処理動作を終了し、また、キーワードが存在すると判断された場合は、ステップＳ１２０４へ進む。
【０１３８】
ステップＳ１２０４では、ローカル及びネットワークの保存文書のキーワード検索を行う。次に、ステップＳ１２０５で、保存文書が画像形式であるか否かを判断する。そして、保存文書が画像形式であると判断された場合は、ステップＳ１２０６へ進んで、OCRによって頻出文字列を１つ抽出（テキスト検出）した後、ステップＳ１２０７へ進む。
【０１３９】
一方、前記ステップＳ１２０５において、保存文書が画像形式でないと判断された場合は、ステップＳ１２０７へ進む。
【０１４０】
ステップＳ１２０７では、前記頻出文字列をキーワードとして一致文書（キーワード検出文書）をリスト抽出する。検出された複数の類似文書からの選択は、リストを操作部１５０に出力してユーザに選択させる。次に、ステップＳ１２０８で、全ての保存文書の検索が終了したならば、ステップＳ１２０９で、検出された複数文書から１つの文書（原稿の画像データ）を抽出し、画像処理して印刷及びICチップに原稿の画像データを保存して、ICチップ付ステイプルを用いて、記録用紙にステイプル処理を行った後、その記録紙を画像記録装置の外部へ排出した後、本処理動作を終了する。
【０１４１】
（第５の実施の形態）
次に、第５の実施の形態として、印刷及びICチップ付きステイプル処理を施された原稿から復合鍵を検出し、暗号化された文書を再度印刷する方法を、図１３のフローチャートを用いて説明する。
【０１４２】
なお、本実施の形態に係る画像記録装置の構成は、上述した第１の実施の形態の図１〜図８と同一であるから、これら各図を流用して説明する。
【０１４３】
図１３において、まず、ステップＳ１３０１で、ICチップからデータを読み取る。次に、ステップＳ１３０２で、前記ステップＳ１３０１において読み取ったICチップ内のデータが指定されたフォーマットであるか否かを判断する。そして、ICチップ内のデータが指定されたフォーマットではない（フォーマットが正しくない）と判断された場合は、ステップＳ１３０６へ進んで、操作部１５０の表示部に音・光・UI等によりエラー表示した後、本処理動作を終了する。
【０１４４】
一方、前記ステップＳ１３０２において、ICチップ内のデータが指定されたフォーマットである（フォーマットが正しい）と判断された場合は、ステップＳ１３０３へ進んで、復合鍵が存在するか否かを判断して復号化する。そして、復合鍵が存在しないと判断された場合は、本処理動作を終了し、また、復合鍵が存在すると判断された場合は、ステップＳ１３０４へ進む。
【０１４５】
ステップＳ１３０４では、前記ステップＳ１３０４において復合化した文書が画像記録装置によって読み取り可能なフォーマット（形式）であるか否かを判断する。そして、読み取り可能なフォーマットではないと判断された場合は、前記ステップＳ１３０６へ進んで、操作部１５０の表示部に音・光・UI等によりエラー表示した後、本処理動作を終了する。
【０１４６】
一方、前記ステップＳ１３０４において、読み取り可能なフォーマットであると判断された場合は、ステップＳ１３０５へ進んで、印刷及びICステイプル処理を行った後、本処理動作を終了する。
【０１４７】
この方法は、上述した各実施の形態の概要説明と略同じで、ICチップから読み取ったデータに復合鍵が含まれているならば、原稿の画像データを取得する際に復号化して文書のチェックを行うという相違点がある。
【０１４８】
但し、保存できるビット（bit）数やシステムとの整合性によって、より良いデータ形式が定義され、その度に実施する方法は変更するため、図１１のデータ構造はあくまでも一例である。
【０１４９】
（その他の実施の形態）
以上が本発明の実施の形態の説明であるが、本発明は、これら実施の形態に限られるものではなく、特許請求の範囲で示した機能、または実施の形態の構成が持つ機能を達成できる構成であれば、どのようなものであっても適用可能である。
【０１５０】
また、本発明の目的は、前述した実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出し実行することによっても、達成されることは言うまでもない。この場合、記憶媒体から読み出されたプログラムコード自体が本発明の新規な機能を実現することになり、そのプログラムコードを記憶した記憶媒体及びプログラムは本発明を構成することになる。
【０１５１】
また、プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【０１５２】
また、コンピュータが読み出したプログラムコードを実行することにより、前述した実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施の形態の機能が実現される場合も含まれることは言うまでもない。
【０１５３】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施の形態の機能が実現される場合も含まれることは言うまでもない。
【図面の簡単な説明】
【０１５４】
【図１】第１の実施の形態に係わる画像記録装置を有する画像入出力システムの全体構成を示すブロック図である。
【図２】第１の実施の形態に係わる画像記録装置における操作部の構成を示す平面図である。
【図３】第１の実施の形態に係わる画像記録装置におけるリーダ部及びプリンタ部の構成を示す側断面図である。
【図４】第１の実施の形態に係わる画像記録装置に接続されるフィニッシャ部の構成を示す側断面図である。
【図５】第１の実施の形態に係わる画像記録装置における制御装置の構成を示すブロック図である。
【図６】第１の実施の形態に係わる画像記録装置におけるメインコントローラの構成を示すブロック図である。
【図７】第１の実施の形態に係わる画像記録装置におけるシステムバスブリッジの構成を示すブロック図である。
【図８】第１の実施の形態に係わる画像記録装置におけるスキャナコントローラ及びプリンタコントローラの構成を示すブロック図である。
【図９】第１の実施の形態に係わる画像記録装置における原稿の画像データ出力動作の流れを示すフローチャートである。
【図１０】第１の実施の形態に係わる画像記録装置における原稿の画像データ入力動作の流れを示すフローチャートである。
【図１１】第１の実施の形態に係わる画像記録装置におけるICチップのデータ保存形式の分類図である。
【図１２】第４の実施の形態に係わる画像記録装置における類似検索処理動作の流れを示すフローチャートである。
【図１３】第５の実施の形態に係わる画像記録装置における復号化処理動作の流れを示すフローチャートである。
【符号の説明】
【０１５５】
１００    画像記録装置
１１０    制御装置
２００    リーダ部
２１０  スキャナユニット
３００    プリンタ部
【図１】
2006192619.tif 000003
【図２】
2006192619.tif 000004
【図３】
2006192619.tif 000005
【図４】
2006192619.tif 000006
【図５】
2006192619.tif 000007
【図６】
2006192619.tif 000008
【図７】
2006192619.tif 000009
【図８】
2006192619.tif 000010
【図９】
2006192619.tif 000011
【図１０】
2006192619.tif 000012
【図１１】
2006192619.tif 000013
【図１２】
2006192619.tif 000014
【図１３】
2006192619.tif 000015